(57)【要約】      （修正有）【課題】エアコンや空気清浄機などの空気調節装置のレンタル方式によるサービス手段により、消臭・脱臭・抗菌・アロマ効果を備え、しかも心身をリラックスさせたり、不眠症を改善できるような効果も期待できるインド原産のイネ科の多年生草木であるベチバーの根を空気調節装置のエアー機能機構としてオーダーメイド的に対応するサービス方法と構成のエアー機能機構を有した空気調節装置とレンタルシステムを提供する。【解決手段】エアーフィルター位置または吸気や送風位置などに、ベチバーの根を所要の大きさまたは長さに切ったもの、または破砕または粉砕したもの、またはこれらを混合したものでベチバーの根と根の間に隙間を形成して空気の通りを良くした粗目のフィルター状に加工構成したエアー機能機構を有する。【選択図】なし【特許請求の範囲】
【請求項１】
レンタル型空気調節装置のエアーフィルター位置または吸気や送風位置などに、消臭効果や防虫効果やアロマセラピー効果などがあるイネ科のベチバーの根を所要の大きさまたは長さに切ったもの、または破砕または粉砕したもの、またはこれらを混合したものでベチバーの根と根の間に隙間を形成して空気の通りを良くした粗目のフィルター状に加工構成したエアー機能機構を有し、そのエアー機能機構の消臭機能やアロマセラピー機能は提供するお客様のニーズや設置する場所の環境などにより選択できるシステムで数種のエアー機能機構を有してオーダーメイド的サービス方法を可能とすることを特徴としたエアー機能機構を有した空気調節装置とレンタルシステム。
【請求項２】
所要の大きさまたは長さに切ったものや破砕した複数のベチバーの根を平行状または格子状に間隔を開けた状態で並べて通気性素材で覆って固着した主構成で、平行状または格子状のベチバーの根のサイズや間隔や形状を数種類備えてお客様のニーズや環境や用途に応じて適用するエアー機能機構を特徴とする請求項１記載のエアー機能機構を有した空気調節装置とレンタルシステム。
【発明の詳細な説明】
【技術分野】
【０００１】  本発明はエアコンや空気清浄機などの空気調節装置のレンタル方式によるサービス手段により、消臭・脱臭・抗菌・アロマ効果を備え、しかも心身をリラックスさせたり、不眠症を改善できるような効果も期待できるインド原産のイネ科の多年生草木であるベチバーの根を所要のサイズに切断または破砕して空気調節装置のエアー機能機構としてお客様のニーズにオーダーメイド的に対応するサービス方法と構成のエアー機能機構を有した空気調節装置とレンタルシステムに関するものある。
【背景技術】
【０００２】  石油化学をベースとした技術の発展は我々が生存する地球を汚染し、破壊し人類を滅ぼすかもしれない重要な課題である。【０００３】  安全性の高い天然素材を活用した環境改善や心身のケア等は必要不可欠であり、その一つの有効手段としてベチバーの根を使った消臭、脱臭、アロマセラピー、防虫などの総合的な用途技術は特許文献の発明の名称「消臭・脱臭剤とそれを使用した消臭・脱臭効果を有する物品、臭気低減システム及び臭気低減方法」としての出願公開されているがベチバーの根の効能は旧来から知られ多用途に使用されているため単なる用途技術に過ぎず新規性や創意性や具体性に欠けていた。【０００４】
【特許文献】  特開２００４−２４３０９５
【発明が解決しようとする課題】
【０００５】  ベチバーの根を所要の大きさまたは長さに切ったもの、あるいは粉砕または破砕したものを空気調節装置のエアーフィルターとした特開２００４−２４３０９５の従来の技術に於ては下記の問題があった。
（イ）インドネシアに育つベチバーの植物の根は昔から香料材として、主に男性用のオーデコロンに利用されていたし、今でも緊張やストレスを鎮めて人の心をケアしてくれる効果があることからアロマセラピーとしても用いられていますが、香りは個人差により好き嫌いがあるし、微妙な芳香強度を要求されるし、空気調節装置のエアーフィルター用とすれば稼動時は常時香りを発散するため必要な時だけ香りを楽しむ作用は困難となり即空気調節装置用のエアーフィルターとして標準化することは問題であった。
（ロ）天然素材のベチバーの根は効能期間が約半年から一年程度に制限されるため定期的な取り替え業務が発生し、どうしても販売方式での空気調節装置用エアーフィルターでは実用性や経済性に問題があった。
（ハ）天然素材で複雑ランダム形状のベチバーの根は構成や性能の標準化が困難で製造技術的にも問題があった。
【課題を解決するための手段】
【０００６】  いまその課題を解決するための方法と構成を説明すれば、
請求項１についてはレンタル型空気調節装置のエアーフィルター付近または吸気や送風位置などに、消臭効果や防虫効果やアロマセラピー効果などがあるイネ科のベチバーの根を所要の大きさまたは長さに切ったもの、または破砕または粉砕したもの、またはこれらを混合したものでベチバーの根と根の間に隙間を形成して空気の通りを良くした粗目のフィルター状に加工構成したエアー機能機構を有し、そのエアー機能機構の消臭機能やアロマセラピー機能は提供するお客様の好みや設置する場所の環境などにより選択できるシステムで複数のエアー機能機構を有してオーダーメイド的サービスを可能とするし、効能が減少したエアー機能機構は定期的に取り替えるサービス方法である。
【０００７】  請求項２については、所要の大きさまたは長さに切ったものや破砕した複数のベチバーの根を平行状又は格子状に通気間隔を開けた状態で並べて通気性素材で覆って固着した主構成で、平行状または格子状のベチバーの根のサイズや大きさや間隔や形状を数種類備えてお客様のニーズや環境や用途に応じて装着運用する空気調節装置のエアー機能機構である。
【作用】
【０００８】  次に本発明の作用を述べると、
（イ）レンタル型空気調節装置はお客様のニーズに応じたエアー機能機構を選択できるため好みに応じた適度のアロマセラピーなどを楽しむ作用である。
（ロ）レンタル型空気調節装置は定期的にエアー機能機構を交換するためアロマセラピー、消臭、脱臭、抗菌、防虫などの機能や効能が自動的に継続する作用である。
（ハ）エアー機能機構はオプション的仕様も可能でありお客様の取捨選択範囲拡げる作用である。
【発明を実施するための最良の形態】
【０００９】  具体実施例を述べれば、
（イ）レンタル型空気調節装置は単なる装置のレンタル貸与方式ではなくお客様のニーズや設置環境に応じたエアー機能機構を選択し調整してオーダーメイド的サービスを提供するものである。
（ロ）エアー機能機構は複数のベチバーの根をほぼ平行状に通気用の間隔を開けた状態で並べて通気性素材で覆って固着した構成とするし、または複数のベチバーの根を格子状に通気用の間隔を開けた状態で並べて通気性素材で覆って固着した主構成とするが、ベチバーの根を渦巻き状や螺旋状などの複雑な形状に構成する場合もある。
（ハ）エアー機能機構はベチバーの根を粒状または粉状またはこれらの混合を通気用の間隔を開けた状態で通気性素材で覆った構成とするし、またはベチバーの根を長尺または短尺に切断しこれらを混合した状態で通気性素材で覆って固着した構成とする。
（ニ）エアー機能機構は空気調節装置のエアーフィルター位置または付近またはエアー吸気位置または送風位置の何れかに有する。
（ホ）エアー機能機構のベチバーの根のサイズや間隔や形状のエアー機能機構を数種類備えてお客様のニーズや環境に応じて選択してセットする。
（ヘ）エアー機能機構の交換はレンタル貸与提供者が定期的な点検サービス時などに実施する。
（ト）エアー機能機構をオプション的差別化商品として提供する。
（チ）本レンタル型空気調節装置は劣悪な環境である例えばトイレ、病院、介護施設、在宅介護部屋、工場、倉庫、ペット共存部屋などへの市場展開をはかる。
（リ）本レンタル型空気調節装置とは家庭用エアコン、業務用大型エアコン、空気清浄機、除湿機などとする。
【発明の効果】
【００１０】  本発明のエアー機能機構を有したレンタル型空気調節装置によりベチバーの根の効能をお客様の好みや環境に応じでオーダーメイド感覚で臭気低減システムやアロマセラピーシステムなどを提供でき空気調節装置のエアー機能機構とレンタル方式によるきめ細かなサービスとの相乗作用によりお客様へ消臭、防虫、抗菌、アロマセラピーなど有効で従来なかった新しいサービスを提供し安全な天然素材のベチバーの根による環境改善により健全で明るく楽しい社会づくりに大きく貢献するものであります。
【００１１】  具体効果を列記すれば、
（イ）レンタル型空気調節装置はお客様のニーズに応じたエアー機能機構を選択できるため好みに応じた適度のアロマセラピー効果などを楽しむことができます、このベチバーの根の芳香により心身をリラックスさせたり、不眠症を改善できるような効果も期待できます。
（ロ）レンタル型空気調節装置は定期的にエアー機能機構を交換する仕様であるためアロマセラピー、消臭、脱臭、抗菌、防虫などの機能や効能が自動的に継続し、特に劣悪な環境であるトイレや病院や介護施設や在宅介護部屋やペット共存部屋などには有効です。
（ハ）レンタル方式であるためエアー機能機構の定期的な取り替えサービスばかりかエアーフィルターの洗浄サービスやガスの補充などの各種点検サービスも提供するため有効である。
（ニ）エアー機能機構はオプション的仕様も可能でありお客様の取捨選択範囲を拡げるものである。